(57)【特許請求の範囲】
【請求項１】
内歯車がキャップナットに設置され、更に、少なくとも１個の遊星歯車のロッカーアーム構造がボルトに設置され、キャップナットの中心と同軸駆動されるサンギアを通して、ファスナーセットやねじり構造を締付けまたは緩めるサンギア同軸駆動式ファスナー構造であって、
外保護蓋（１００）は、蓋状構造を呈し、軸柱（１２８）を通してスタッド（１４０）に締付けられ、駆動可能なキャップナット（１０１）の上段の外リングに重ね合うことにより、遊星歯車セットを保護し、
駆動可能なキャップナット（１０１）は、環状構造体を呈し、内リングの上段構造と内歯車（１０２）は一体構造または組立方式により設置可能であり、構造体の下段に内ねじ山（１１２）を持ち、スタッド（１４０）のねじ山（１４２）とカップリングし、サンギア柱体（１２１）が駆動され、遊星歯車（１３１）を経て内歯車（１０２）を駆動するとき、正回転または逆回転を通して、駆動可能なキャップナット（１０１）を緩めまたは締付け、
スタッド（１４０）の外部を持ち、ねじ山（１４２）をカップリングして駆動可能なキャップナット（１０１）の内ねじ山（１１２）、スタッド（１４０）の頭部の上部に１個または１個以上の軸柱（１２８）が設置されていることにより、遊星歯車（１３１）を回転させ、スタッド（１４０）の頭部が設置されている軸向盲孔（１２６）、サンギア柱体（１２１）の下端の突出軸状構造（１２５）で回転させ、
上述した軸柱（１２８）及び遊星歯車（１３１）は１個または１個以上によって構成可能であり、
遊星歯車（１３１）は、軸孔（１３０）が設置され、軸柱（１２８）とカップリングして回転し、サンギア柱体（１２１）のサンギアと駆動可能なキャップナット（１０１）の内歯車（１０２）との間でカップリングすることにより、インタラクト可能な遊星歯車セットの機能を構成し、
サンギア柱体（１２１）は、柱状構造体を呈し、上段構造は柱形の歯端（１２２）と一体構造または組立方式により構成可能であり、サンギア柱体（１２１）は軸に沿って中心に向かって、外部工具とカップリングする多角形貫孔または盲孔（１２４）を持ち、または、多面形の柱体（１２４’）構造を呈することにより、カップリングする工具によって駆動され、
上述した遊星歯車（１３１）とスタッド（１４０）の頭部とのカップリング方式は、逆構造を呈することも可能であり、または、遊星歯車（１３１）に同軸の突出軸状構造が設置され、スタッドの頭部の頂部に軸孔が設置されていることにより、カップリングして回転可能であることを特徴とするサンギア同軸駆動式ファスナー構造。
【請求項２】
遊星歯車（１３１）とスタッド（１４０）の頭部とのカップリング方式は、逆構造を呈することも可能であり、または、遊星歯車（１３１）に同軸の突出軸状構造が設置され、スタッドの頭部の頂部に軸孔が設置されていることにより、カップリングして回転可能であることを特徴とする請求項１に記載のサンギア同軸駆動式ファスナー構造。
【請求項３】
サンギア柱体（１２１）に沿って軸中心に向かう多角形貫孔または盲孔（１２４）は、貫孔である場合、スタッド（１４０）に多角形孔（１４３）が設置されると、外部の六角レンチから穿入し、スタッド（１４０）の多角形孔（１４３）とカップリングして、回転を駆動可能であることを特徴とする請求項１に記載のサンギア同軸駆動式ファスナー構造。
【請求項４】
サンギア柱体（１２１）の下端に一つの突出軸状構造（１２５）を持つことにより、スタッド（１４０）の頂部の軸向盲孔（１２６）とカップリングして回転し、サンギア柱体（１２１）はそれと分離また随時にカップリング可能な操作工具により駆動され、または、操作工具とサンギア柱体（１２１）の両者は組立構成または一体構造を呈することを特徴とする請求項１に記載のサンギア同軸駆動式ファスナー構造。
【請求項５】
サンギア柱体（１２１）に設置されている突出軸状構造（１２５）とスタッド（１４０）の頭部に設置されている軸向軸孔（１２６）は、相対して回転するカップリング可能であり、別の構造方式では、突出軸状構造（１２５）と軸向盲孔（１２６）の位置を逆に設置可能であることを特徴とする請求項４に記載のサンギア同軸駆動式ファスナー構造。
【請求項６】
スタッド（１４０）の頭部に設置されている軸向盲孔（１２６）に内部へ凹む多角形孔（１４３）が設置され、サンギア柱体（１２１）に設置されている突出軸状構造（１２５）と相対して、突出多面形の柱体とカップリング可能であることを特徴とする請求項４に記載のサンギア同軸駆動式ファスナー構造。
【請求項７】
人力により駆動し、または、流体モータまたは機械力または電動モータにより操作工具を駆動し、サンギア柱体（１２１）を駆動することにより、更に、遊星歯車（１３１）を持つ内歯車（１０２）により駆動可能なキャップナット（１０１）を駆動し、遊星歯車セットの減速倍数により倍力効果をもたらし、駆動可能なキャップナット（１０１）を動かして、スタッド（１４０）のねじ山（１４２）にねじ込むことにより、締付けまたは緩めることを特徴とする請求項１に記載のサンギア同軸駆動式ファスナー構造。
【請求項８】
一種のサンギア同軸駆動式ファスナー構造に駆動されるスタッド構造のスタッド（１４０）の根部端は、構造体（２００）に溶接されていることを含み、駆動可能なキャップナット（１０１）をスタッド（１４０）にねじ込むことにより、被固定体（３００）を締付けまたは緩め、その特徴は、スタッドが工具の末端へ向かい、一つの内部へ凹む多角孔または多角形柱体を持っていることである請求項１記載のサンギア同軸駆動式ファスナー構造。
【請求項９】
一種のサンギア同軸駆動式ファスナー構造に駆動されるスタッド構造のスタッド（１４０）の根部端は、スタッド構造を構造体（２００）のねじ穴にねじ込み、キャップナット（１０１）をスタッド（１４０）にねじ込むことにより、被固定体（３００）を締付けまたは緩め、その特徴は、スタッドが工具の末端へ向かい、一つの内部へ凹む多角孔または多角形柱体を持っていることである請求項１記載のサンギア同軸駆動式ファスナー構造。
【請求項１０】
一種のサンギア同軸駆動式ファスナー構造に駆動されるスタッド構造のスタッド（１４０）は、根部端が構造体（２００）を貫通することを含み、他端がナットを持ち、構造体（２００）に結合し、キャップナット（１０１）をスタッド（１４０）にねじ込むことにより、被固定体（３００）を締付けまたは緩め、その特徴は、スタッドが工具の末端へ向かい、一つの内部へ凹む多角孔または多角形柱体を持っていることである請求項１記載のサンギア同軸駆動式ファスナー構造。
【請求項１１】
一種のサンギア同軸駆動式ファスナー構造に駆動されるスタッド構造のスタッド（１４０）は、根部端が構造体（２００）を貫通することを含み、他端は回転制限スクエアスタッドボルトヘッドを持ち、構造体（２００）に結合し、キャップナット（１０１）をスタッド（１４０）にねじ込むことにより、被固定体（３００）を締付けまたは緩め、その特徴は、スタッドが工具の末端へ向かい、一つの内部へ凹む多角孔または多角形柱体を持っていることである請求項１記載のサンギア同軸駆動式ファスナー構造。
【請求項１２】
一種のサンギア同軸駆動式ファスナー構造に駆動されるスタッド構造のスタッド（１４０）の根部端は、構造体（２００）と被固定体（３００）との間を貫通することを含み、キャップナット（１０１）をスタッド（１４０）の両端にねじ込むことにより、被固定体（３００）を締付けまたは緩め、その特徴は、スタッドが工具の末端へ向かい、一つの内部へ凹む多角孔または多角形柱体を持っていることである請求項１記載のサンギア同軸駆動式ファスナー構造。
【発明の詳細な説明】
【技術分野】
【０００１】
本発明は、サンギア同軸駆動式ファスナー構造に関する。
【背景技術】
【０００２】
伝統的な遊星式倍力によりファスナーセットやねじり装置を締付けまたは調整または取外すために、内歯車をキャップナットに設置し、柱形のサンギアをボルトに設置し、遊星歯車を駆動することにより、内歯車を設置するキャップナットを動かし、締付けまたは緩める。
【発明の概要】
【発明が解決しようとする課題】
【０００３】
ただし上述した構造でキャップナットを締付けまたは緩めるとき、施力する遊星歯車の軸心位置を移動させなければならないので、操作は比較的不便なうえ、比較的大きな空間も必要である。
【課題を解決するための手段】
【０００４】
本発明のサンギア同軸駆動式ファスナー構造は、内歯車をキャップナットに設置し、更に、少なくとも１個の遊星歯車のロッカーアーム構造をボルトに設置する。また、キャップナットの中心と同軸駆動するサンギアを通して、ファスナーセットやねじり構造を締付けまたは緩める。
【図面の簡単な説明】
【０００５】
【図１】本発明の一実施形態によるサンギア同軸駆動式ファスナー構造を示す横断面図である。
【図２】本発明の一実施形態によるサンギア同軸駆動式ファスナー構造の縦断面図である。
【図３】本発明の一実施形態によるサンギア同軸駆動式ファスナー構造を示す分解斜視図である。
【図４】本発明の一実施形態によるサンギア同軸駆動式ファスナー構造の多角形貫孔または盲孔１２４に代えて多面形の柱体１２４’を用いる構造を示す斜視図である。
【図５】本発明の一実施形態によるサンギア同軸駆動式ファスナー構造の多面形の柱体１２４’が設置されている構造を示す縦断面図である。
【図６】本発明の一実施形態によるサンギア同軸駆動式ファスナー構造の軸向盲孔１２６に内部へ凹む多角形孔１４３が設置されている構造を示す縦断面図である。
【図７】本発明の一実施形態によるサンギア同軸駆動式ファスナー構造を示す分解斜視図である。
【図８】本発明の一実施形態によるサンギア同軸駆動式ファスナー構造の駆動されるスタッド１４０が構造体２００に溶接されている構造を示す模式図である。
【図９】本発明の一実施形態によるサンギア同軸駆動式ファスナー構造のスタッド１４０が構造体２００のねじ穴にねじ込まれている構造を示す模式図である。
【図１０】本発明の一実施形態によるサンギア同軸駆動式ファスナー構造のスタッド１４０が構造体を貫通し、また、他端は別のキャップナットを持つ構造を示す模式図である。
【図１１】本発明の一実施形態によるサンギア同軸駆動式ファスナー構造のスタッド１４０が構造体２００を貫通し、また、他端は別の回転制限スクエアスタッドボルトヘッドを持つ構造を示す模式図である。
【図１２】本発明の一実施形態によるサンギア同軸駆動式ファスナー構造のスタッド１４０の両端に駆動可能なキャップナット１０１が設置されている構造を示す模式図である。
【発明を実施するための形態】
【０００６】
以下、本発明の一実施形態を図を参照して説明する。
伝統的な遊星式倍力によりねじり装置を締付けまたは調整または取外すとき、例えば、ファスナーセットを持ち、内歯車をキャップナットに設置し、柱形のサンギアをボルトに設置する。遊星歯車を駆動することにより、内歯車を設置するキャップナットを動かし、締付けまたは緩める。ただし、上述した構造でキャップナットを締付けまたは緩めるとき、施力する遊星歯車の軸心位置を移動させなければならないので、操作は比較的不便なうえ、かつ比較的大きな空間が必要である。本発明の一実施形態によるサンギア同軸駆動式ファスナー構造は、内歯車をキャップナットに設置し、また、少なくとも１個の遊星歯車のロッカーアーム構造をボルトに設置し、キャップナットの中心を通して同軸駆動するサンギアを締付けまたは緩めるサンギア同軸駆動式ファスナー構造である。
【０００７】
外保護蓋１００は、蓋状構造を呈し、軸柱１２８を通してスタッド１４０に締付け、駆動キャップナット１０１の上段の外リングに重ね合うことにより、遊星歯車セットを保護する。
【０００８】
駆動可能なキャップナット１０１は、環状構造体を呈し、内リングの上段構造と内歯車１０２は一体構造または組立方式により設置することができる。構造体の下段に内ねじ山１１２を持ち、スタッド１４０のねじ山１４２とカップリングし、サンギア柱体１２１が駆動され、遊星歯車１３１を経て内歯車１０２を駆動するとき、正回転または逆回転を通して、駆動可能なキャップナット１０１を緩めまたは締付ける。
スタッド１４０の外部にねじ山１４２を持ち、駆動可能なキャップナット１０１の内ねじ山１１２とカップリングする。スタッド１４０の頭部の上部に１個または１個以上の軸柱１２８を設置することにより、遊星歯車１３１を回転させる。スタッド１４０の頭部に軸向盲孔１２６を設置し、サンギア柱体１２１の下端にある突出軸状構造１２５がその中で回転する。
【０００９】
遊星歯車１３１は、軸孔１３０が設置され、軸柱１２８とカップリングして回転し、サンギア柱体１２１のサンギアと駆動可能なキャップナット１０１の内歯車１０２との間でカップリングすることにより、インタラクト可能な遊星歯車セットの機能を構成する。
上述した遊星歯車１３１とスタッド１４０の頭部のカップリング方式は、逆構造を呈することもできる。または、遊星歯車１３１に同軸の突出軸状構造を設置し、また、スタッドの頭部の頂部に軸孔を設置することにより、カップリングして回転することができる。
上述した軸柱１２８及び遊星歯車１３１は、１個または１個以上によって構成されることができる。
【００１０】
サンギア柱体１２１は、柱状構造体を呈し、上段構造は柱形の歯端１２２と一体構造または組立方式により構成することができる。サンギア柱体１２１は軸に沿って中心に向かって、外部工具とカップリングする多角形貫孔または盲孔１２４を持ち、または、多面形の柱体１２４’構造を呈することにより、カップリングする工具によって駆動される。
【００１１】
図４に図１〜図３の多角形貫孔または盲孔１２４に代えて、多面形の柱体１２４’を用いる斜視図を示す。図５に図１〜図３の中の多面形の柱体１２４’を設置する側面断面図を示す。
サンギア柱体１２１に沿って軸中心に向かう多角形貫孔または盲孔１２４は、貫孔である場合、また、スタッド１４０に多角形孔１４３を設置すると、外部の六角レンチから穿入し、スタッド１４０の多角形孔１４３とカップリングして、回転を駆動することができる。
サンギア柱体１２１の下端に一つの突出軸状構造１２５を持つことにより、スタッド１４０の頂部の軸向盲孔１２６とカップリングして回転し、サンギア柱体１２１はそれと分離また随時にカップリングできる操作工具により駆動される。または、操作工具とサンギア柱体１２１の両者は、組立構成または一体構造を呈する。
【００１２】
前述した本実施形態のサンギア同軸駆動式ファスナー構造のサンギア柱体１２１に設置する突出軸状構造１２５とスタッド１４０の頭部に設置する軸孔１２６は、相対して回転してカップリングすることができる。別の構造方式では、突出軸状構造１２５と軸向盲孔１２６の位置を逆に設置することもできる。
前述した本実施形態のサンギア同軸駆動式ファスナー構造は、スタッド１４０の頭部に設置する軸向盲孔１２６に内部へ凹む多角形孔１４３を設置し、サンギア柱体１２１に設置する突出軸状構造１２５と相対して、突出多面形の柱体とカップリングすることもできる。
【００１３】
図６に、図１〜図３に示すように、軸向盲孔１２６に内部へ凹む多角形孔１４３を設置する側面断面図を示す。図７に図６の分解斜視図を示す。
本実施形態のサンギア同軸駆動式ファスナー構造は、人力により駆動し、または、流体モータまたは機械力または電動モータにより操作工具を駆動する。サンギア柱体１２１を駆動することにより、更に、遊星歯車１３１を持つ内歯車１０２により、駆動可能なキャップナット１０１を駆動する。また、遊星歯車セットの減速倍数により倍力効果をもたらし、駆動可能なキャップナット１０１を動かして、また、スタッド１４０のねじ山１４２にねじ込むことにより、締付けまたは緩める。
【００１４】
本実施形態のサンギア同軸駆動式ファスナー構造の駆動可能なキャップナット１０１とスタッド１４０との間に防震Ｏ−リングワッシャの配置を選択し、または、直接スタッド１４０のねじ山１４２にねじ込むことができる。スタッド１４０の根部端は、下記の通りである。
（１）スタッド１４０を構造体２００に溶接し、駆動可能なキャップナット１０１をスタッド１４０にねじ込むことにより、被固定体３００を締付けまたは緩める。その特徴は、スタッドが工具の末端へ向かい、また、一つの内部へ凹む多角孔または多角形柱体を持つ。図８に本実施形態の駆動されるスタッド１４０を構造体２００に溶接する模式図を示す。
【００１５】
（２）または、スタッド１４０をスタッド構造により構造体２００のねじ穴にねじ込み、キャップナット１０１をスタッド１４０にねじ込むことにより、被固定体３００を締付けまたは緩める。その特徴は、スタッドが工具の末端へ向かい、また、一つの内部へ凹む多角孔または多角形柱体を持つ。図９に本実施形態のスタッド１４０を構造体２００のねじ穴にねじ込む模式図を示す。
【００１６】
（３）または、スタッド１４０が構造体２００を貫通し、他端はキャップナットを持ち、また、構造体２００に結合し、キャップナット１０１をスタッド１４０にねじ込むことにより、被固定体３００を締付けまたは緩める。その特徴は、スタッドが工具の末端へ向かい、また、一つの内部へ凹む多角孔または多角形柱体を持つ。図１０に本実施形態のスタッド１４０が構造体を貫通し、他端はキャップナットを持つ構造の模式図を示す。
【００１７】
（４）または、スタッド１４０が構造体２００を貫通し、また、他端は別の制限スクエアスタッドを持ち、構造体２００と結合し、キャップナット１０１をスタッド１４０にねじ込むことにより、被固定体３００を締付けまたは緩める。その特徴は、スタッドが工具の末端へ向かい、また、一つの内部へ凹む多角孔または多角形柱体を持っている。図１１に本実施形態のスタッド１４０が構造体２００を貫通し、また、他端は別の制限スクエアスタッドを持つ構造の模式図を示す。
【００１８】
（５）または、スタッド１４０が構造体２００と被固定体３００との間を貫通し、キャップナット１０１をスタッド１４０の両端にねじ込むことにより、被固定体３００を締付けまたは緩める。その特徴は、スタッドが工具の末端へ向かい、また、一つの内部へ凹む多角孔または多角形柱体を持っている。図１２に本実施形態のスタッド１４０の両端に駆動可能なキャップナット１０１を設置する構造の模式図を示す。
【００１９】
本実施形態のサンギア同軸駆動式ファスナー構造の駆動操作工具は、サンギア柱体１２１及び／またはスタッド１４０に対して、下記の一種または一種以上の駆動方式で駆動することを含む。
（１）正転方向または逆転方向の回転で駆動することが可能である。
（２）往復駆動されるとき、その中の一つの駆動方向に駆動作用をもたらし、また、他方向は駆動作用をもたらさない単方向に駆動する。
（３）往復駆動されるとき、その中の一つの駆動方向に駆動作用をもたらすように選択し、また、他方向は駆動作用をもたらさない単方向に駆動することが可能である。
【００２０】
本実施形態のサンギア同軸駆動式ファスナー構造において、サンギア柱体１２１及び／またはスタッド１４０の駆動方式は、サンギア柱体１２１が持っている突出多面形の柱体または内部へ凹む多角形孔１２４及び／またはスタッド１４０頭部が持っている突出多面形の柱体または多角形孔１４３を通すことを含み、随時にカップリングするレンチセットに駆動され、または、回転駆動装置に駆動される。または、駆動工具または駆動装置と固定または結合または取外すことができるコンビである。
【００２１】
本実施形態のサンギア同軸駆動式ファスナー構造の駆動工具または装置は、各種のソケットレンチ、または、オープンエンドレンチ、または、シールレンチ、または、六角レンチ等の駆動工具を使用する以外に、駆動工具も更に一歩進んで下記の一種または一種以上を含む機能装置の駆動工具を持つことが可能である。例えば、（１）駆動のトルク限界（torque limit）がある機能装置。（２）必要な駆動のトルク限界を調整、設定できる機能装置。（３）駆動のトルク限界を表示するアナログまたはデジタル表示付き機能装置。（４）駆動のトルク限界状態を表示する音響または語音装置。（５）駆動のトルク限界状態を表示するランプシグナル装置。
【符号の説明】
【００２２】
１００・・・外保護蓋、
１０１・・・駆動可能なキャップナット、
１０２・・・内歯車、
１１２・・・内ねじ山、
１２１・・・サンギア柱体、
１２２・・・柱形の歯端、
１２４・・・多角形貫孔または盲孔、
１２４’・・・多面形の柱体、
１２５・・・突出軸状構造、
１２６・・・軸向盲孔、
１２８・・・軸柱、
１３０・・・軸孔、
１３１・・・遊星歯車、
１４０・・・スタッド、
１４２・・・ねじ山、
１４３・・・内部へ凹む多角形孔、
２００・・・構造体、
３００・・・被固定体
【図１】
0005558966.tif 000002
【図２】
0005558966.tif 000003
【図３】
0005558966.tif 000004
【図４】
0005558966.tif 000005
【図５】
0005558966.tif 000006
【図６】
0005558966.tif 000007
【図７】
0005558966.tif 000008
【図８】
0005558966.tif 000009
【図９】
0005558966.tif 000010
【図１０】
0005558966.tif 000011
【図１１】
0005558966.tif 000012
【図１２】
0005558966.tif 000013